(57)【要約】【課題】換気性能に優れているうえに、雨仕舞い性能にも優れており、様々な構造条件下でも適用することができる換気構造を提供する。【解決手段】建物１の換気空間としての屋根裏空間２と外部とを連通させる換気口Ｅ１，Ｅ２と屋根裏空間２とを繋ぐ通気経路４内に可撓性のシート１５が設けられており、換気口Ｅ１，Ｅ２から所定以上の風圧の空気が流入すると、シート１５が撓んで、通気経路４を狭める乃至閉塞し、換気空間としての屋根裏空間２内への空気の流入を抑制乃至抑止する構成とされている。【選択図】図２
2015132126.tif 000002
【特許請求の範囲】
【請求項１】
建物の換気空間と外部とを連通させる換気口と前記換気空間とを繋ぐ通気経路内に可撓性のシートが設けられており、
前記換気口から所定以上の風圧の空気が流入すると、前記シートが撓んで、前記通気経路を狭める乃至閉塞し、前記換気空間内への空気の流入を抑制乃至抑止することを特徴とする換気構造。
【請求項２】
前記通気経路は立ち上がり部を有し、前記シートは、当該立ち上がり部よりも前記換気口寄りに吊設されていることを特徴とする請求項１に記載の換気構造。
【請求項３】
前記通気経路の立ち上がり部は、前記換気口側に突出した延設部を有することを特徴とする請求項２に記載の換気構造。
【請求項４】
前記シートは、一端が前記延設部に固定され、他端は前記延設部よりも前記換気口寄りの前記通気経路の上面に固定された袋状とされ、通気孔を有することを特徴とする請求項３に記載の換気構造。
【請求項５】
前記通気孔は、前記シートの前記換気口に面しない側のみに設けられていることを特徴とする請求項４に記載の換気構造。
【請求項６】
請求項１乃至５のいずれか１項に記載の換気構造を備えていることを特徴とする建物。
【発明の詳細な説明】
【技術分野】
【０００１】
本発明は、建物の換気構造、及びこの換気構造を備えた建物に関するものである。
【背景技術】
【０００２】
近年の建物においては、建物本体の耐久性を高めるためなどの目的で、屋根裏などの換気が行える換気構造が多く実施されている。
【０００３】
例えば特許文献１には、雨仕舞いを考慮した軒部の換気構造が開示されている。
【０００４】
また、特許文献２には、高い換気性能を確保したうえで、高い雨仕舞い性能も確保した軒部の換気構造が開示されている。
【先行技術文献】
【特許文献】
【０００５】
【特許文献１】特開２００９−０１３６７８号公報
【特許文献２】特開２０１１−０９９２２０号公報
【特許文献３】特開２００６−３１６４９３号公報
【発明の概要】
【発明が解決しようとする課題】
【０００６】
しかしながら、特に、特許文献２に開示された換気構造は、優れたものであるものの、上下に曲りくねった迷路状の換気経路を形成するために、パラペットを支持するブラケット間等を利用しなければならない。
【０００７】
このため、特に豪雪地帯に設置するパラペットや重量が大きい高価なパラペットを支持するブラケットは、強度を高くしなければならないことから通常より間隔を狭くし、数も多く用いなければならず、このような迷路状の換気経路を形成すると、高い換気性能を確保するのが難しい場合もあった。
【０００８】
また、軒樋を設けた箇所の軒部には、この軒樋が邪魔となり、このような迷路状の換気経路を形成するのは困難であった（特許文献３等を参照）。
【０００９】
そこで、本発明は、換気性能に優れているうえに、雨仕舞い性能にも優れており、様々な構造条件下でも適用することができる換気構造、及びこの換気構造を備えた建物を提供することを目的としている。
【課題を解決するための手段】
【００１０】
前記目的を達成するために、本発明の換気構造は、建物の換気空間と外部とを連通させる換気口と前記換気空間とを繋ぐ通気経路内に可撓性のシートが設けられており、前記換気口から所定以上の風圧の空気が流入すると、前記シートが撓んで、前記通気経路を狭める乃至閉塞し、前記換気空間内への空気の流入を抑制乃至抑止することを特徴とする。
【００１１】
ここで、前記通気経路は立ち上がり部を有し、前記シートは、当該立ち上がり部よりも前記換気口寄りに吊設されているとよい。
【００１２】
また、前記通気経路の立ち上がり部は、前記換気口側に突出した延設部を有するとよい。
【００１３】
さらに、前記シートは、一端が前記延設部に固定され、他端は前記延設部よりも前記換気口寄りの前記通気経路の上面に固定された袋状とされ、通気孔を有するとよい。
【００１４】
また、前記通気孔は、前記シートの前記換気口に面しない側のみに設けられているとよい。
【００１５】
本発明の建物は、上記した本発明の換気構造を備えていることを特徴とする。
【発明の効果】
【００１６】
このような本発明の換気構造は、建物の換気空間と外部とを連通させる換気口と換気空間とを繋ぐ通気経路内に可撓性のシートが設けられており、換気口から所定以上の風圧の空気が流入すると、シートが撓んで、通気経路を狭める乃至閉塞し、換気空間内への空気の流入を抑制乃至抑止する構成とされている。
【００１７】
上記した構成なので、暴風雨の際などには、シートが撓んで、通気経路を狭める乃至閉塞し、換気空間内への多くの雨水を含んだ空気の流入を抑制乃至抑止する簡易な構造であるため、換気性能に優れているうえに、雨仕舞い性能にも優れており、様々な構造条件下でも適用することができる。
【００１８】
ここで、通気経路は立ち上がり部を有し、シートは、立ち上がり部よりも換気口寄りに吊設されている場合は、換気口から所定以上の風圧の空気が流入すると、シートが立ち上がり部に向かって撓んで、通気経路を狭める乃至閉塞し、換気空間内への雨水を含んだ空気の流入を抑制乃至抑止することができる。
【００１９】
また、通気経路の立ち上がり部は、換気口側に突出した延設部を有する場合は、この延設部が水返しの役目を果たし、雨仕舞い性能をより高めることができる。
【００２０】
さらに、シートは、一端が延設部に固定され、他端は延設部よりも換気口寄りの通気経路の上面に固定された袋状とされ、通気孔を有する場合は、換気口から所定以上の風圧の空気が流入すると、この袋状のシートの略全体が立ち上がり部に向かって撓んで、通気孔が変形することで、開口面積が小さくなったり、閉じたりするので、雨仕舞い性能を更により高めることができる。
【００２１】
また、通気孔は、シートの換気口に面しない側のみに設けられている場合は、シートの換気口に面する側には通気孔が設けられていないので、雨仕舞い性能を更に一層より高めることができる。
【００２２】
このような本発明の建物は、上記した本発明の換気構造を備えた構成とされている。
【００２３】
上記した構成なので、上記した本発明の換気構造の効果を奏する建物を構築することができる。
【図面の簡単な説明】
【００２４】
【図１】実施例の換気構造を備えた建物の概略構成を示す斜視図である。
【図２】図１におけるＡ−Ａ線矢視拡大断面図であって、実施例の換気構造の概略構成を説明するための説明図である。
【図３】実施例の換気構造に用いられるシートの概略構成を説明するための説明図である。
【発明を実施するための形態】
【００２５】
以下、本発明を実施するための形態を、図面に示す実施例に基づいて説明する。
【実施例】
【００２６】
先ず、実施例の構成について説明する。
【００２７】
図１は、実施例の換気構造を備えた建物１の概略構成を示している。
【００２８】
まず、この建物１は、図１に示したように、基礎１Ｂの上に、建物本体１Ａが構築されている。
【００２９】
この実施例の換気構造では、軒部Ｎ及びその近傍に特徴を有している。
【００３０】
すなわち、図１及び図２に示したように、外壁材５の上端面に、間隔をあけて複数の下側ブラケット３０，・・・が載置され、これら下側ブラケット３０，・・・の外側の下方に垂下した垂下部３０ａ，・・・がネジ２０，・・・を外壁材５の外側面から内側の桟材５ａに至るまでねじ込んで固定されている。
【００３１】
そして、これら下側ブラケット３０，・・・の垂下部３０ａ，・・・の外側から水切り材として機能する下部パラペット７１が嵌め込み固定されている。
【００３２】
また、これら下側ブラケット３０の外側には、上方に立ち上がった嵌合突起３０ｂがそれぞれ設けられており、これら嵌合突起３０ｂ，・・・の上側に、上側ブラケット３がそれぞれ載置され、ネジ２１をそれぞれねじ込んで固定されている。
【００３３】
そして、これら複数の上側ブラケット３，・・・の外側面に防水壁として機能する中部パラペット７２が嵌め込まれ、上側をネジ２２，・・・で固定されている。
【００３４】
さらに、これら複数の上側ブラケット３，・・・の上側面に防水天井として機能する上部パラペット７３が嵌め込まれ、内側をネジ２３，・・・で固定されている。
【００３５】
これにより、下部パラペット７１の上端部と中部パラペット７２の下端部との間に第１の換気口Ｅ１が形成されている。
【００３６】
なお、第１の換気口Ｅ１の入って直ぐの箇所には、上側ブラケット３，３，・・・間に、断面略Ｌ字形状の水切り部材４１がそれぞれ設けられており、雨仕舞い性能を高めるようになっている。
【００３７】
また、中部パラペット７２の上端部と上部パラペット７３の下端部との間に第２の換気口Ｅ２が形成されている。
【００３８】
さらに、天井梁６の上面と下側ブラケット３０，・・・の中間部との間に、外側に向かって若干下る下面に結露防止用の裏打材が設けられた板状の軒先水切り板４０が支持されている。
【００３９】
なお、軒先水切り板４０の外側端部は、下方に垂下した部分が、外壁材５と下側ブラケット３０，・・・の垂下部３０ａ，・・・との間に挟まれて、ネジ２０，・・・により固定されている。
【００４０】
そして、軒先水切り板４０は、その内側に略垂直に立ち上がり、上端部が内側に折れ曲がった立ち上がり部４０ａを有している。
【００４１】
さらに、最も外側に位置する野縁８の外側面にスペーサー部材９，・・・が間隔をあけて設けられており、これらスペーサー部材９，・・・の上面に、立ち上がり部４０ａの上端部の内側に折れ曲がった部分が引っ掛けられた状態で、立ち上がり部４０ａは、下側ブラケット３０，・・・の内側の立ち上がり部３０ｃ，・・・の部分からスペーサー部材９，・・・までネジ２４をそれぞれねじ込んで固定されている。
【００４２】
また、軒先水切り板４０の立ち上がり部４０ａの上端部の外側面には、断面略コ字形状の水切り部材１０が開口部を下向きにして、内側のフランジ部をリベット２５，・・・で固定して設けられており、この水切り部材１０のウェブ部が換気口Ｅ１，Ｅ２側に略水平に突出した延設部となって、水返しの役目を果たす。
【００４３】
さらに、水切り部材１０の上方には、これよりも幅の広い断面略コ字形状の水切り部材１１が開口部を下向きにして、間隔をあけて、内側のフランジ部を最も外側に位置する野縁８の外側面の上部にネジ２８，・・・をねじ込んで固定されている。
【００４４】
そして、野縁８，・・・の上面には、屋根下地材１２が敷設され、さらに屋根下地材１２の上面には、屋根仕上げ材１３が貼設されている。
【００４５】
また、水切り部材１０の外側のフランジ部と水切り部材１１の外側のフランジ部との間には、ゴムなどから成る可撓性のシート１５が、端部をアングル材１６，１７で挟み込み、リベット２６，・・・とリベット２７，・・・でそれぞれ固定して、袋状に吊設されている。
【００４６】
ここで、図３は、吊設する前のシート１５を示しており、右側のみに通気孔１５ａ，・・・が設けられている。
【００４７】
すなわち、袋状のシート１５の通気孔１５ａ，・・・は、換気口Ｅ１，Ｅ２に面しない側のみに設けられている。
【００４８】
なお、シート１５の境界部を点線で示した１５ｂの部分は、このシート１５を固定するための端部を示している。
【００４９】
そして、屋根下地材１２及び屋根仕上げ材１３の外側端部と複数の上側ブラケット３，・・・の内側面との間には、繋ぎ部材１８を介して、軒樋１９が設けられている。
【００５０】
ここで、軒樋１９の上面には、端部にネジ２９，・・・をねじ込んで、図示省略の複数の通水孔を有する軒樋カバー１９ａが設けられており、軒樋１９内が落ち葉や雪などで詰まってしまうのを防止している。
【００５１】
なお、軒樋カバー１９ａの内側端部は、スペーサー部材２９ａ，・・・を介して固定されており、屋根仕上げ材１３の表面を流れてきた雨水が、隙間から繋ぎ部材１８を通って軒樋１９内に流れ込み、軒樋１９と連通して設けられた図示省略の縦樋から地上に排水される。
【００５２】
また、軒樋カバー１９ａの上面の雨水は、図示省略の複数の通水孔から軒樋１９内に流れ込み、屋根仕上げ材１３の表面を流れてきた雨水とともに、図示省略の縦樋から地上に排水される。
【００５３】
さらに、図２において、換気口Ｅ１，Ｅ２から換気空間としての屋根裏空間２への空気の流れＷを一点鎖線で示したように、換気口Ｅ１，Ｅ２と屋根裏空間２との間に狭い通気経路４が形成される。
【００５４】
ここで、暴風雨の際などに、換気口Ｅ１，Ｅ２から強風が流入すると、シート１５が二点鎖線で示したように変形し、このシート１５に設けられた通気孔１５ａ，・・・は、狭まる乃至閉塞し、雨を含んだ空気が屋根裏空間２内へ入るのを抑制乃至抑止する。
【００５５】
次に、実施例の作用効果について説明する。
【００５６】
このような実施例の換気構造は、建物１の換気空間としての屋根裏空間２と外部とを連通させる換気口Ｅ１，Ｅ２と屋根裏空間２とを繋ぐ通気経路４内に可撓性のシート１５が設けられており、換気口Ｅ１，Ｅ２から所定以上の風圧の空気が流入すると、シート１５が撓んで、通気経路４を狭める乃至閉塞し、換気空間としての屋根裏空間２内への空気の流入を抑制乃至抑止する構成とされている。
【００５７】
上記した構成なので、暴風雨の際などには、シート１５が撓んで、通気経路４を狭める乃至閉塞し、換気空間としての屋根裏空間２内への多くの雨水を含んだ空気の流入を抑制乃至抑止する簡易な構造であるため、換気性能に優れているうえに、雨仕舞い性能にも優れており、様々な構造条件下でも適用することができる。
【００５８】
ここで、通気経路４は立ち上がり部４０ａを有し、シート１５は、立ち上がり部４０ａよりも換気口Ｅ１，Ｅ２寄りに吊設されている。
【００５９】
このため、換気口Ｅ１，Ｅ２から所定以上の風圧の空気が流入すると、シート１５が立ち上がり部４０ａに向かって撓んで、通気経路４を狭める乃至閉塞し、換気空間としての屋根裏空間２内への雨水を含んだ空気の流入を抑制乃至抑止することができる。
【００６０】
また、通気経路４の立ち上がり部４０ａは、換気口Ｅ１，Ｅ２側に突出した水切り部材１０による延設部を有する。
【００６１】
このため、この水切り部材１０による延設部が水返しの役目を果たし、雨仕舞い性能をより高めることができる。
【００６２】
さらに、シート１５は、一端が延設部となる水切り部材１０の外側端部に固定され、他端はこの延設部よりも換気口Ｅ１，Ｅ２寄りの通気経路４の上面に固定された袋状とされ、通気孔１５ａ，・・・を有する。
【００６３】
このため、換気口Ｅ１，Ｅ２から所定以上の風圧の空気が流入すると、この袋状のシート１５の略全体が立ち上がり部４０ａに向かって撓んで、通気孔１５ａ，・・・が変形することで、開口面積が小さくなったり、閉じたりするので、雨仕舞い性能を更により高めることができる。
【００６４】
また、通気孔１５ａ，・・・は、シート１５の換気口Ｅ１，Ｅ２に面しない側のみに設けられている。
【００６５】
このため、シート１５の換気口Ｅ１，Ｅ２に面する側には通気孔１５ａが設けられていないので、雨仕舞い性能を更に一層より高めることができる。
【００６６】
このような実施例の建物１は、上記した実施例の換気構造を備えた構成とされている。
【００６７】
上記した構成なので、上記した実施例の換気構造の作用効果を奏する建物１を構築することができる。
【００６８】
以上、図面を参照して、本発明を実施するための形態について実施例をもとに詳述してきたが、具体的な構成は、上記した実施例に限らず、本発明の要旨を逸脱しない程度の設計的変更は、本発明に含まれる。
【００６９】
例えば、上記した実施例では、換気空間を屋根裏空間２として実施したが、これに限定されず、換気空間をバルコニーの床下空間などにして実施してもよい。
【００７０】
また、上記した実施例では、シート１５を袋状にして実施したが、これに限定されず、例えば、単純に垂れ幕状にシート１５を設けて実施してもよい。
【００７１】
さらに、上記した実施例では、換気口Ｅ１，Ｅ２を、下部パラペット７１の上端部と中部パラペット７２の下端部との間及び中部パラペット７２の上端部と上部パラペット７３の下端部との間に形成して実施したが、これに限定されず、他の箇所に形成して実施してもよい。
【符号の説明】
【００７２】
１      建物
１Ａ    建物本体
１Ｂ    基礎
２      屋根裏空間（換気空間）
３      上側ブラケット
３０    下側ブラケット
３０ａ  下側ブラケットの垂下部
３０ｂ  下側ブラケットの嵌合突起
３０ｃ  下側ブラケットの立ち上がり部
４      通気経路
４０    軒先水切り板
４０ａ  軒先水切り板の立ち上がり部（通気経路の立ち上がり部）
４１    水切り部材
５      外壁材
５ａ    桟材
６      天井梁
７１    下部パラペット
７２    中部パラペット
７３    上部パラペット
８      野縁
９      スペーサー部材
１０    水切り部材（延設部）
１１    水切り部材
１２    屋根下地材
１３    屋根仕上げ材
１５    シート
１５ａ  シートの通気孔
１５ｂ  シートの固定端部
１６    アングル材
１７    アングル材
１８    繋ぎ部材
１９    軒樋
１９ａ  軒樋カバー
２０    ネジ
２１    ネジ
２２    ネジ
２３    ネジ
２４    ネジ
２５    リベット
２６    リベット
２７    リベット
２８    ネジ
２９    ネジ
２９ａ  スペーサー部材
Ｅ１    （第１の）換気口
Ｅ２    （第２の）換気口
Ｎ      軒部
Ｗ      空気の流れ
【図１】
2015132126.tif 000003
【図２】
2015132126.tif 000004
【図３】
2015132126.tif 000005